(57)【特許請求の範囲】
【請求項１】
治具本体と、該治具本体をプーリフランジに係止するための係止部と、前記治具本体から背面側に突出する突出部と、前記治具本体の背面及び突出部に乗り上げた周方向に伸長可能なベルトをプーリ軸方向奥側に案内するよう前記突出部に形成された案内面とを備え、
前記治具本体をプーリの手前側に配置して前記ベルトを前記プーリのプーリ溝に取り付ける取付姿勢で、前記プーリに装着可能とされると共に、前記治具本体を二段掛けプーリのうちの手前側プーリのプーリ溝に配置して前記ベルトを前記二段掛けプーリのうちの手前側プーリから奥側プーリにシフトさせるシフト姿勢で、前記二段掛けプーリに装着可能とされ、
前記治具本体は、その幅が前記二段掛けプーリのうちの手前側プーリのプーリ溝の溝幅よりも小さく設定され、
前記係止部は、ベルト取付治具を前記プーリに前記取付姿勢で装着するよう、前記プーリの手前側のプーリフランジに係止可能とされると共に、ベルト取付治具を前記二段掛けプーリに前記シフト姿勢で装着するよう、前記二段掛けプーリの手前側プーリと奥側プーリとの境界のプーリフランジに係止可能とされたことを特徴とするベルト取付治具。
【請求項２】
前記取付姿勢では、前記プーリの回転に伴って前記ベルトが治具本体を滑ってプーリ溝に嵌るまで、前記突出部で手前側へのベルトの外れを規制しつつ、治具本体の背面が、前記ベルトの一部を受けて手前側のプーリフランジの外周面よりも半径方向外側かつプーリ軸方向手前側に保持し、
前記シフト姿勢では、前記案内面が、前記二段掛けプーリの回転に伴って治具本体の背面及び突出部に乗り上げたベルトを奥側プーリのプーリ溝に案内することを特徴とする請求項１に記載のベルト取付治具。
【請求項３】
手前側プーリよりも奥側プーリが大径に設定された二段掛けプーリに、シフト姿勢で装着可能とされたことを特徴とする請求項１又は２に記載のベルト取付治具。
【請求項４】
第一プーリ及び第二プーリを含む複数のプーリのうち、少なくとも第一プーリが手前側プーリ及び奥側プーリをプーリ軸方向に並設してなる二段掛けプーリとされ、第一プーリ以外の前記プーリのプーリ溝と共に第一プーリのうちの奥側プーリのプーリ溝に、周方向に伸長可能なベルトを取り付けるためのベルト取付方法であって、
第一プーリの手前側プーリに前記ベルトを掛巻すると共に、第二プーリにベルト取付治具を装着し、さらに、第二プーリを回転させながら第二プーリのプーリ溝にベルトを取り付け、その後、第一プーリにベルト取付治具を装着し、第一プーリを回転させながら、第一プーリの手前側プーリに掛巻したベルトを奥側プーリのプーリ溝にシフトさせることを特徴とするベルト取付方法。
【請求項５】
前記第一プーリは、その手前側プーリが奥側プーリよりも小径に設定されたことを特徴とする請求項４に記載のベルト取付方法。
【請求項６】
前記第二プーリにベルト取付治具を装着してベルトを取り付ける際、ベルトを掛巻した第一プーリを回転させることにより、ベルトを介して第二プーリを回転させることを特徴とする請求項４又は５に記載のベルト取付方法。
【請求項７】
前記第二プーリが二段掛けプーリとされ、一旦、第二プーリにベルト取付治具を装着して手前側プーリのプーリ溝に前記ベルトを取り付け、さらに、第一プーリの手前側プーリに掛巻したベルトを奥側プーリのプーリ溝にシフトさせる前又はシフトさせた後、第二プーリにベルト取付治具を装着し、第二プーリを回転させながら、第二プーリの手前側プーリのプーリ溝に取り付けたベルトを奥側プーリのプーリ溝にシフトさせることを特徴とする請求項４、５又は６に記載のベルト取付方法。
【発明の詳細な説明】
【技術分野】
【０００１】
本発明は、二段掛けプーリの奥側プーリを含む複数のプーリに、周方向に伸長可能なベルトを取り付けるためのベルト取付治具、及びベルト取付方法に関するものである。
【背景技術】
【０００２】
一般に、外周面にプーリ溝を有するプーリにベルトを掛巻してなるベルト伝動機構には、ベルトをプーリに取り付けてから所定のベルト張力を付与するように、テンションプーリなどの張力調整手段が設けられている。
【０００３】
このような張力調整手段を不要にするため、プーリに取り付ける際に周方向に伸長させてプーリフランジを乗り越えさせるようにしたベルトが出現しており、さらに、特許文献１は、ベルトを周方向に伸長させながらプーリフランジを乗り越えさせてプーリ溝に嵌め込むためのベルト取付治具を開示している。
【０００４】
図５に、特許文献１が開示するベルト取付治具を示す。ベルト取付治具１０１は、プーリ１０２に装着して使用するものであり、このベルト取付治具１０１よりもプーリ回転方向後方のプーリ溝１０３にベルト１０４を嵌めると共に、ベルト１０４を保持面１０５に掛けて保持するようになっている。さらに、プーリ１０２のセンターボルト１０６に工具を装着して回転させて、ベルト取付治具１０１をプーリ回転方向前方に進め、ベルト１０４のうちのプーリ溝１０３に嵌る範囲を徐々に広げることにより、ベルト１０４がプーリ１０２に取り付けられる。
【特許文献１】特開２００６−３００１７２号公報（段落番号００２８、００３５、００３６、００４３、００４４、図６）
【発明の開示】
【発明が解決しようとする課題】
【０００５】
ところで、二段掛けプーリの奥側プーリを含む複数のプーリにベルトを取り付けることがあり、この場合、奥側プーリにベルトを掛巻すると共に、他のプーリに特許文献１のベルト取付治具を装着してベルトを取り付ける。ただ、ベルトを奥側プーリに掛巻しておく分、ベルト取付治具を装着したプーリにベルトが取り付く際、そのベルトがプーリの手前側の側面と擦れて引っ掛かりやすく、特に、プーリの手前側の側面にボルトなどの突起がある場合、ベルトの取付を難しくする。
【０００６】
本発明は、二段掛けプーリの奥側プーリを含む複数のプーリにベルトを取り付ける際、プーリの手前側の側面とベルトとの引っ掛かりを防止することのできるベルト取付治具及びベルト取付方法の提供を目的とする。
【課題を解決するための手段】
【０００７】
上記目的を達成するために、本発明に係るベルト取付治具は、治具本体と、この治具本体をプーリフランジに係止するための係止部と、治具本体から背面側に突出する突出部と、治具本体の背面及び突出部に乗り上げた周方向に伸長可能なベルトをプーリ軸方向奥側に案内するよう突出部に形成された案内面とを備えたものであり、治具本体をプーリの手前側に配置してベルトをプーリのプーリ溝に取り付ける取付姿勢で、プーリに装着可能とすると共に、治具本体を二段掛けプーリのうちの手前側プーリのプーリ溝に配置してベルトを二段掛けプーリのうちの手前側プーリから奥側プーリにシフトさせるシフト姿勢で、二段掛けプーリに装着可能としたものである。
【０００８】
ここで、取付姿勢は、係止部を手前側のプーリフランジに係止して治具本体をプーリよりもプーリ軸方向手前側に配置した姿勢であり、プーリの回転に伴ってベルトが治具本体を滑ってプーリ溝に嵌るまで、突出部で手前側へのベルトの外れを規制しつつ、治具本体の背面が、ベルトの一部を受けて手前側のプーリフランジの外周面よりも半径方向外側かつプーリ軸方向手前側に保持する。
【０００９】
この取付姿勢では、治具本体を境にして、プーリ回転方向の後方ではプーリ溝にベルトを嵌め、プーリ回転方向の前方ではプーリの軸方向外側にベルトを通すことにより、ベルトを張力のない状態でプーリおよびベルト取付治具に掛ける。さらに、プーリを回転させたとき、これに追随してベルト取付治具も周方向に回転するので、ベルト取付治具よりもプーリ回転方向前方でプーリの軸方向外側を通るベルトが、半径方向外向きに移動して、プーリフランジの外周面よりも半径方向外側に至ったとき、プーリフランジを乗り越えるように滑ってプーリ溝に嵌る。
【００１０】
また、シフト姿勢は、係止部を手前側プーリと奥側プーリとの境界のプーリフランジに係止しつつ治具本体を手前側プーリのプーリ溝に配置した姿勢であり、案内面が、二段掛けプーリの回転に伴って治具本体の背面及び突出部に乗り上げたベルトを奥側プーリのプーリ溝に案内する。
【００１１】
上記構成によれば、取付姿勢とシフト姿勢とを切換自在とすると共に、治具本体から背面側に突出する突出部に、ベルトをプーリ軸方向奥側に案内する案内面を形成するので、その突出部により、取付姿勢では、ベルトがプーリに取り付けられるまでベルトの外れを規制し、シフト姿勢では、治具の背面側に乗り上げたベルトを奥側プーリにシフトさせることができる。
【００１２】
これにより、一つのベルト取付治具を用いて、プーリの手前側の側面にベルトを引っ掛けることなく、二段掛けプーリの奥側プーリを含む複数のプーリにベルトを取り付けることができる。
【００１３】
具体的には、一旦、ベルトを二段掛けプーリの手前側プーリに掛巻した状態で、ベルト取付治具を他のプーリに取付姿勢で装着して、そのプーリのプーリ溝にベルトを取り付け、その後、ベルト取付治具を二段掛けプーリにシフト姿勢で装着し直して、手前側プーリに掛巻したベルトを奥側プーリにシフトさせる。この場合、ベルトを二段掛けプーリの手前側プーリに掛巻した状態で他のプーリにベルトを取り付ける分、その取り付けの際にベルトを手前側に位置させることができ、プーリの手前側の側面にベルトが引っ掛かるのを防止することができる。
【００１４】
手前側プーリよりも奥側プーリが大径である場合、ベルトを一旦手前側プーリに掛巻した状態で他のプーリに取り付ける際、手前側プーリが小径である分、ベルトを容易に取り付けることができる。この場合、手前側プーリよりも奥側プーリを大径に設定した二段掛けプーリに、ベルト取付治具をシフト姿勢で装着可能とすることにより、他のプーリにベルトを取り付けた後、手前側プーリに掛巻したベルトを大径の奥側プーリに押し上げるようにシフトさせることができる。
【００１５】
また、本発明は、第一プーリ及び第二プーリを含む複数のプーリのうち、少なくとも第一プーリが手前側プーリ及び奥側プーリをプーリ軸方向に並設してなる二段掛けプーリとされ、第一プーリ以外のプーリのプーリ溝と共に第一プーリのうちの奥側プーリのプーリ溝に、周方向に伸長可能なベルトを取り付けるためのベルト取付方法を提供する。
【００１６】
具体的には、第一プーリの手前側プーリにベルトを掛巻すると共に、第二プーリにベルト取付治具を装着する。さらに、第二プーリを回転させながら第二プーリのプーリ溝にベルトを取り付ける。その後、第一プーリにベルト取付治具を装着し、第一プーリを回転させながら、第一プーリの手前側プーリに掛巻したベルトを奥側プーリのプーリ溝にシフトさせる。
【００１７】
上記構成によれば、ベルトを第一プーリの手前側プーリに掛巻した状態で、第二プーリにベルト取付治具を装着して複数のプーリにベルトを取り付けるので、第二プーリにベルトが取り付く際、ベルトが手前側に位置する分、第二プーリの手前側の側面にベルトが引っ掛かるのを防止することができる。しかも、第二プーリにベルトを取り付けた後、第一プーリの手前側プーリから奥側プーリにベルトをシフトさせるので、二段掛けプーリである第一プーリの奥側プーリを含む複数のプーリにベルトを取り付けることができる。
【００１８】
第一プーリの手前側プーリを奥側プーリよりも小径に設定する場合、ベルトを第一プーリの手前側プーリに掛巻した状態で、ベルトに張力を作用させることなく、第二プーリのプーリ溝の広範囲にベルトを嵌めることができる。
【００１９】
これにより、第二プーリの手前側の側面に例えばボルトなどの突起があったとしても、この突起よりも半径方向外側にベルトを予め回避させることができ、ベルトをプーリ溝に取り付ける際に突起に引っ掛かるのを阻止することができる。しかも、第二プーリをわずかに回転させるだけでベルトを取り付けることができるので、ベルトが第二プーリの手前側の側面と擦れることによる引っ掛かりをも、より生じにくくすることができる。
【００２０】
また、第二プーリにベルト取付治具を装着してベルトを取り付ける際、ベルトを掛巻した第一プーリを回転させることにより、ベルトを介して第二プーリを回転させながらベルトを取り付けることもできる。
【００２１】
そうすれば、例えば、第二プーリが小径側あるいは低負荷側のプーリであったとしても、工具などで大径側あるいは高負荷側の第一プーリを回転させてベルトを取り付けることができるので、工具などでプーリを直接回転させるのに要する力を小さく、あるいは安定させることができる。
【００２２】
特に、第一プーリの手前側プーリを奥側プーリよりも小径に設定する場合、小径の手前側プーリに掛巻したベルトは、第二プーリの手前側で回転中心からより離れた部位を通ることになる。これにより、第一プーリの手前側プーリが大径の場合よりも、ベルト取付治具に負荷されるベルト張力が第二プーリの回転方向前方に向かって作用することになり、その分、第二プーリをより回転させやすくなる。
【００２３】
また、本発明の方法を採用するには、複数のプーリのうちの少なくとも第一プーリが二段掛けプーリであればよく、第一プーリに加えて、他のプーリもが二段掛けプーリであってもよい。第二プーリが二段掛けプーリである場合、一旦、第二プーリの手前側プーリにベルトを取り付け、このベルトを奥側プーリにシフトさせればよい。さらに、第二プーリにおいてベルトを奥側プーリにシフトさせるタイミングは、第一プーリにおいてベルトをシフトさせる前、あるいはシフトさせた後のいずれであってもよい。
【００２４】
すなわち、本発明は、上記の方法を前提とし、第二プーリが二段掛けプーリとされ、一旦、第二プーリにベルト取付治具を装着して手前側プーリのプーリ溝に前記ベルトを取り付け、さらに、第一プーリの手前側プーリに掛巻したベルトを奥側プーリのプーリ溝にシフトさせる前又はシフトさせた後、第二プーリにベルト取付治具を装着し、第二プーリを回転させながら、第二プーリの手前側プーリのプーリ溝に取り付けたベルトを奥側プーリのプーリ溝にシフトさせるベルト取付方法を提供する。
【発明の効果】
【００２５】
以上のとおり、本発明によると、一旦、ベルトを二段掛けプーリの手前側プーリに掛巻し、その状態で、他のプーリにベルト取付治具を装着してベルトを取り付け、その後、二段掛けプーリの手前側プーリから奥側プーリにベルトをシフトさせるようにしている。これにより、他のプーリにベルトを取り付ける際、ベルトを手前側に位置させることができるので、他のプーリの手前側の側面とベルトとの引っ掛かりを生じることがなく、二段掛けプーリの奥側プーリを含む複数のプーリにベルトを取り付けることができる。
【発明を実施するための最良の形態】
【００２６】
以下、本発明に係るベルト取付治具を実施するための最良の形態について、図面を用いて説明する。
【００２７】
まず、ベルト取付治具の構成を説明する。図１は本発明に係るベルト取付治具の斜視図、図２はプーリに装着したベルト取付治具の正面図であり、（ａ）は取付姿勢を示し、（ｂ）はシフト姿勢を示す。
【００２８】
ベルト取付治具１は、手前側プーリ２ａ及び奥側プーリ２ｂを並設してなる二段掛けプーリとされた第一プーリ２のうちの奥側プーリ２ｂと、第二プーリ１１とに、周方向に伸長可能なベルト３を取り付けるためのものであり、治具本体４と、治具本体４をプーリフランジ５ａ、５ｂに係止するための係止部６と、治具本体４から背面側に突出する突出部７と、ベルト３をプーリ軸方向奥側に案内するよう突出部７に形成された案内面８とを備え、ベルト３を第二プーリ１１のプーリ溝１２に取り付ける取付姿勢と、ベルト３を第一プーリ２のうちの手前側プーリ２ａのプーリ溝９ａから奥側プーリ２ｂのプーリ溝９ｂにシフトさせるシフト姿勢とを切換自在とされている。
【００２９】
ここで、取付姿勢は、係止部６を第二プーリ１１の手前側のプーリフランジ５ａに係止して治具本体４を第二プーリ１１よりもプーリ軸方向手前側に配置した姿勢である。また、シフト姿勢は、係止部６を第一プーリ２の手前側プーリ２ａと奥側プーリ２ｂとの境界のプーリフランジ５ｂに係止しつつ治具本体４を手前側プーリ２ａのプーリ溝９ａに配置した姿勢である。
【００３０】
治具本体４は、例えば合成樹脂製で、第一プーリ２の手前側プーリ２ａのプーリ溝９ａの溝底とほぼ同じ曲率に湾曲した直方体とされる。この治具本体４は、プーリフランジ５ａ、５ｂを乗り越えさせるようベルト３を幅方向に無理なく曲げるのに要する長さ、プーリ溝９ａに嵌る大きさの幅、かつプーリ溝９ａに配置した状態で手前側プーリ２ａと奥側プーリ２ｂとの境界のプーリフランジ５ｂからわずかに突出する厚さに設定されている。なお、治具本体４は、合成樹脂に代えて、鉄やアルミニウムなどの金属から形成することもできる。
【００３１】
治具本体４のプーリ回転方向前端部は、前端側ほど薄くすることによって滑らかなテーパー状に設定され、取付姿勢において、ベルト３を第二プーリ１１の手前側に滑らかに導くと共に、シフト姿勢において、ベルト３を治具本体４の背面に滑らかに乗り上げさせるようになっている。
【００３２】
係止部６は、例えば合成樹脂により治具本体４と一体に形成されることにより、治具本体４の奥側の側面のうちのプーリ回転方向後端部から奥側に、プーリフランジ５ａ、５ｂを跨いで係止するよう突設されている。また、治具本体４を手前側プーリ２ａのプーリ溝９ａに配置した状態で、係止部６を境界のプーリフランジ５ｂを跨ぐ形状に形成することにより、手前側プーリ２ａよりも奥側プーリ２ｂが大径に設定された二段掛けプーリ２であっても、これにシフト姿勢で装着可能とされる。なお、係止部６は、合成樹脂に代えて、鉄やアルミニウムなどの金属から形成することもできる。
【００３３】
係止部６の奥側端部には、プーリ溝９ｂ、１２の溝底に沿う突片１０が形成され、この突片１０をプーリフランジ５ａ、５ｂを乗り越えたベルト３が押さえることにより、ベルト取付治具１の浮き上がりが阻止される。
【００３４】
突出部７は、治具本体４のうちのプーリ回転方向後端部から背面側に突出するよう、例えば合成樹脂によって治具本体４と一体に形成され、取付姿勢において、ベルト３が第二プーリ１１に取り付けられるまでベルト３の外れを規制する。なお、突出部７は、合成樹脂に代えて、鉄やアルミニウムなどの金属から形成することもできる。
【００３５】
案内面８は、奥側ほど低くなるよう突出部７のうちのプーリ回転方向後端部かつ奥側に形成された傾斜面８ａと、前側ほど低くなるよう突出部７のうちのプーリ回転方向前端部かつ手前側に形成された傾斜面８ｂと、奥側及び前側ほど低くなるよう傾斜面８ａ及び傾斜面８ｂ間に形成された傾斜面８ｃとからなる。これにより、案内面８は、シフト姿勢において、ベルト３を滑らかに乗り上げさせると共に、乗り上げたベルト３を奥側プーリ２ｂにシフトさせる。
【００３６】
次に、ベルト取付方法を説明する。図３はベルト取付方法の前半の工程を説明する側面図及び右正面図である。図４はベルト取付方法の後半の工程を説明する側面図及び左正面図である。
【００３７】
この方法は、第一プーリ２のうちの奥側プーリ２ｂのプーリ溝９ｂと、第一プーリ２よりも小径の第二プーリ１１のプーリ溝１２とに、ベルト３を取り付けるものである。なお、第一プーリ２は、その手前側プーリ２ａを奥側プーリ２ｂよりも小径に設定することもできるが、図３及び図４では、手前側プーリ２ａと奥側プーリ２ｂとが同径であるように図示している。
【００３８】
また、ベルト３は、テンショナーなどの張力調整手段を不要にするよう、周方向に伸長可能とされたものであり、例えばベルト本体にポリアミドからなる心線を埋設した構造とすることによって周方向の伸び率を２〜３％に設定される。なお、ベルト３として、Ｖリブドベルトを例示することができるが、平ベルトなどのＶリブドベルト以外のベルトであってもよい。
【００３９】
ベルト取付方法を具体的に説明すると、まず、図３（ａ）に示すように、第一プーリ２の手前側プーリ２ａにベルト３を掛巻すると共に、第二プーリ１１にベルト取付治具１を取付姿勢で装着する。ベルト取付治具１を取付姿勢で装着するには、その係止部６を第二プーリ１１の手前側のプーリフランジ５ａに係止することにより、治具本体４の背面を、第二プーリ１１の手前側のプーリフランジ５ａの外周面よりも半径方向外側かつプーリ軸方向手前側に位置させる。
【００４０】
さらに、第二プーリ１１のプーリ溝１２のうち、ベルト取付治具１よりもプーリ回転方向後方の部位にベルト３を嵌め、ベルト取付治具１の近傍で、ベルト３をベルト幅方向に曲げて手前側のプーリフランジ５ａを跨ぐようにする。また、突出部７でベルト３の手前側への外れを規制しつつ、治具本体４の背面にベルト３を掛けて、ベルト取付治具１よりもプーリ回転方向前方で第二プーリ１１よりもプーリ軸方向手前側にベルト３を通す。この状態ではベルト３に張力は作用しておらず、第一プーリ２、第二プーリ１１及びベルト取付治具１に容易にベルト３を掛けることができる。
【００４１】
次いで、図３（ｂ）に示すように、第一プーリ２のセンターボルト１３に例えば市販の工具１４を装着して第一プーリ２を回転させることにより、ベルト３及びベルト取付治具１を介して第二プーリ１１を回転させる。この場合、ベルト３を介して第二プーリ１１を回転させることができ、大径側の第一プーリ２を原動側として回転させ、小径側の第二プーリ１１を従動側として回転させるので、回転に要する力を小さくすることができる。
【００４２】
第二プーリ１１が回転することにより、ベルト３を伸長させながら、ベルト取付治具１がプーリ回転方向前方に進み、ベルト３のうちのプーリ溝１２に嵌る範囲が広がっていく。ベルト取付治具１よりもプーリ回転方向後方でベルト３がプーリ溝１２に嵌ってプーリ軸方向の移動を規制されているので、プーリ回転方向前方では、ベルト幅方向に曲がったベルト３の復元力によって、ベルト３をプーリ溝１２に向かって移動させる力が作用する。なお、ベルト３の復元力は、ベルト張力の分力としてのスラスト力や、ベルト３の弾性力である。
【００４３】
ベルト取付治具１よりもプーリ回転方向前方で、ベルト３が第二プーリ１１の中心付近から半径方向外向きに移動して、徐々にプーリフランジ５ａの外縁に近づいていく。このとき、第一プーリ２の手前側プーリ２ａにベルト３を掛巻して、ベルト３を手前側に位置させているので、第二プーリ１１の手前側の側面からボルト１５などが突出する場合であっても、そのボルト１５などにベルト３が引っ掛かることがない。
【００４４】
やがて、ベルト３の復元力により、ベルト３がプーリフランジ５ａを乗り越えるようにして、治具本体４からプーリ溝１２に滑り込み、図３（ｃ）に示すように、ベルト４が完全に第二プーリ１１に取り付けられる。
【００４５】
ベルト３が完全に第二プーリ１１に取り付けられた後、第二プーリ１１がさらに回転することにより、図３（ｄ）に示すように、ベルト取付治具１がベルト３から離れた位置に移動するので、ベルト取付治具１を容易に取り外すことができる。
【００４６】
その後、図４（ｅ）に示すように、第一プーリ２にベルト取付治具１をシフト姿勢で装着し直し、第一プーリ２を回転させて、手前側プーリ２ａに掛巻したベルト３を伸長させながら治具本体４及び突出部７に乗り上げさせる。ここで、ベルト取付治具１をシフト姿勢で装着するには、その係止部６を第一プーリ２の手前側プーリ２ａと奥側プーリ２ｂとの境界のプーリフランジ５ｂに係止しつつ、治具本体４を手前側プーリ２ａのプーリ溝９ａに配置する。
【００４７】
さらに、図４（ｆ）に示すように、第一プーリ２のセンターボルト１３に例えば市販の工具１４を装着して第一プーリ２を強く回転させる。これにより、治具本体４の背面及び突出部７に乗り上げたベルト３が、より伸長されてベルト張力が高められ、ベルト３のうち、ベルト取付治具１よりもプーリ回転方向後方の部位が、ベルト取付治具１の案内面８を滑るように案内されて奥側プーリ２ｂのプーリ溝９ｂにシフトする。
【００４８】
図４（ｇ）に示すように、第一プーリ２をさらに回転させることにより、ベルト３のうち、奥側プーリ２ｂにシフトした範囲が徐々に広がり、やがて、全体が奥側プーリ２ｂにシフトされる。
【００４９】
ベルト３が完全に奥側プーリ２ｂにシフトされた後、第一プーリ２がさらに回転することにより、図４（ｈ）に示すように、ベルト取付治具１がベルト３から離れた位置に移動するので、ベルト取付治具１を容易に取り外すことができる。
【００５０】
なお、本発明は、上記の実施の形態に限定されるものではなく、本発明の範囲内において、適宜変更を加えることができる。例えば、第一プーリ２は、その手前側プーリ２ａを奥側プーリ２ｂよりも小径に設定することにより、ベルト３を第二プーリ１１に取り付ける際、ベルト張力を作用させない状態で、予め、より広い範囲を第二プーリ１１のプーリ溝１２に嵌めておくことができる。これにより、第二プーリ１１の手前側の側面へのベルト３の引っ掛かりをより生じにくくすることができ、第二プーリ１１へのベルト３の取付をより容易にすることができる。
【００５１】
この場合、手前側プーリ２ａよりも奥側プーリ２ｂが大径であっても、その境界のプーリフランジ５ｂよりも突出するように治具本体４の厚さを設定しておくことにより、ベルト３を押し上げるようにして、奥側プーリ２ｂにシフトさせることができる。
【００５２】
また、第一プーリ２に加えて、第二プーリ１１が二段掛けプーリである場合にも、本発明のベルト取付治具１及びベルト取付方法を採用することができる。この場合、第一プーリ２の手前側プーリ２ａにベルト３を掛巻すると共に、第二プーリ１１にベルト取付治具１を装着して、一旦、第二プーリ１１の手前側プーリのプーリ溝にベルト３を取り付ける。さらに、第一プーリ２の手前側プーリ２ａに掛巻したベルト３を奥側プーリ２ｂのプーリ溝９ｂにシフトさせる前又はシフトさせた後、第二プーリ１１にベルト取付治具１を装着し、第二プーリ１１を回転させながら、第二プーリ１１の手前側プーリのプーリ溝に取り付けたベルトを奥側プーリのプーリ溝にシフトさせればよい。
【図面の簡単な説明】
【００５３】
【図１】本発明に係るベルト取付治具の斜視図
【図２】プーリに装着したベルト取付治具の正面図であり、（ａ）は取付姿勢を示し、（ｂ）はシフト姿勢を示す
【図３】ベルト取付方法の前半の工程を説明する側面図及び右正面図
【図４】ベルト取付方法の後半の工程を説明する側面図及び左正面図
【図５】従来のベルト取付治具を示す斜視図
【符号の説明】
【００５４】
１      ベルト取付治具
２      第一プーリ
２ａ    手前側プーリ
２ｂ    奥側プーリ
３      ベルト
４      治具本体
５ａ、５ｂ  プーリフランジ
６      係止部
７      突出部
８      案内面
８ａ、８ｂ、８ｃ  傾斜面
９ａ、９ｂ  プーリ溝
１０    突片
１１    第二プーリ
１２    プーリ溝
１３    センターボルト
１４    工具
１５    ボルト
【図１】
0004988619.tif 000002
【図２】
0004988619.tif 000003
【図３】
0004988619.tif 000004
【図４】
0004988619.tif 000005
【図５】
0004988619.tif 000006